(57)【要約】【課題】  矯正用のレンズを取り付けるフレーム部の前側にサングラス用レンズを装着したサングラス部を着脱可能とする。【解決手段】  矯正用のレンズを取り付けるフレーム部の前側にサングラス用レンズを装着したサングラス部を着脱可能とするために、フレーム部のブリッジを磁性体で形成するとともに、このブリッジが嵌め込まれる溝状にサングラス部のブリッジを形成し、さらにこの溝内にフレーム部のブリッジを吸着する磁石を配設した。【選択図】        図１
2005292553.tif 000002
【特許請求の範囲】
【請求項１】
矯正用のレンズを保持するとともに、両レンズ間をブリッジで保持するフレーム部と、このフレーム部の前側に着脱可能となっていて両サングラス用のレンズ間をブリッジで保持するサングラス部とからなるメガネにおいて、前記フレーム部のブリッジを磁性体で形成するとともに、このブリッジ部が嵌め込まれる溝を前記サングラス部のブリッジに形成し、さらに、前記サングラス部の溝内に磁石を配設したことを特徴とするメガネ。
【請求項２】
前記サングラス用のブリッジは樹脂で形成されるとともに、このブリッジに形成した溝内にフレーム部のブリッジと吸着する磁石が固定されている請求項１記載のメガネ。
【請求項３】
前記溝内に配設された磁石は溝内に充填固化された樹脂によって埋設されている請求項２記載のメガネ。
【請求項４】
矯正用のレンズを保持するとともに、両レンズ間をブリッジで保持するフレーム部と、このフレーム部の前側に着脱可能となっていて両サングラス用のレンズ間をブリッジで保持するサングラス部とからなるメガネにおいて、前記フレーム部のブリッジを磁性体で形成するとともに、このブリッジ部が嵌め込まれる溝を前記サングラス部のブリッジに形成し、さらに、前記サングラス部の溝内に磁石を配設するとともに、この溝内に樹脂を充填固化して磁石を埋設したことを特徴とするメガネ。
【請求項５】
前記サングラス部のブリッジに設けた溝は下向きコ字状となっていて、フレーム部のブリッジに取り付けた時は溝の底部がフレーム部のブリッジの上面側に位置している請求項１または４記載のメガネ。
【発明の詳細な説明】
【技術分野】
【０００１】
この発明はメガネに関し、特に、ブリッジを利用して矯正用レンズの前側にサングラス用レンズを有するサングラス部を配置するようにしたメガネに関する。
【背景技術】
【０００２】
メガネにおいて、矯正用の２つのレンズの前側にサングラス用レンズを有するサングラス部を着脱可能として通常使用時、あるいは眩しい遮光時に使用するように構成したメガネは種々提案されている。
【０００３】
そして、これらのメガネにあっては、両レンズが取り付けられている前枠、およびこの前枠の両側に鎧を介して配設されているテンプルを有するフレーム部を有し、このフレーム部にサングラス用のレンズを有するサングラス部を引っ掛けて取り付けるタイプのもの、フレーム部に磁石を用いてサングラス部を吸着するタイプのもの、等が存在している。
【０００４】
この場合、フレーム部の前枠にサングラス部を引っ掛けて取り付けるタイプのものは引っ掛けて取り付ける操作が煩雑であり、このことが実用上問題となっている。
【０００５】
一方、フレーム部に磁石によってサングラス部を吸着するようになっているタイプのものはフレーム部の前枠あるいはブリッジに磁石を配設するとともに、この磁石に対応する箇所のサングラス部に磁石を配設し、両磁石を吸着することでフレーム部の前側にサングラス部を配置するようになっている。このようなタイプのものにあっては、それぞれに磁石を配設するので製作が煩雑であるとともに、容易にずれてしまうという問題点を有していた。
【特許文献１】実用新案登録第３０５６４６９号
【発明の開示】
【発明が解決しようとする課題】
【０００６】
この発明が解決しようとする課題は、サングラス部にのみ磁石を配設することでこのサングラス部をメガネのフレーム部に対して容易に着脱可能とした点およびサングラス部がフレーム部から容易にずれないようにした点にある。
【課題を解決するための手段】
【０００７】
この発明は両レンズの前側に位置する一対のサングラス用レンズを連結するサングラス部のブリッジを、フレーム部のブリッジを覆うような溝状にするとともに、この溝内に磁石を配設し、この磁石が磁性体からなるブリッジと着脱するようにしてフレーム部の前側にサングラス部を着脱可能に配設し得るようにしたことを特徴とする。
【発明の効果】
【０００８】
この発明によるメガネは、そのフレーム部の前側に非常に簡単にサングラス部を配置することができるとともに、このサングラス部がフレーム部に対してずれるのを確実に防止することができる。
【発明を実施するための最良の形態】
【０００９】
フレーム部に対してサングラス部が容易に着脱可能であり、しかも吸着時にずれるのを防止して確実にサングラス部がフレーム部の前側に配設されるという目的を、少なくともブリッジが磁性体からなるフレーム部と、サングラス部のブリッジに配設した磁石とで実現した。
【実施例】
【００１０】
図１にはこの発明によるメガネ１が、図２には図１のフレーム部２とサングラス部３とを離間した状態が示されている。この発明によるメガネは、両レンズ４、４を保持する、所謂、ツーポイントタイプのものであり、左右レンズ４、４の内側間はブリッジ５で連結され、一方、左右レンズ４、４の外側はそれぞれ鎧６を介してテンプル７が回動可能に連結されている。
【００１１】
そして前記左右レンズ４、４を連結するブリッジ５の端部にはノーズパッド８を保持する脚９がそれぞれ一体に設けられている。さらに、ブリッジ５のそれぞれの端に一体に設けたネジは、両レンズ４、４の内側端部に設けた孔を貫通して後方に延びてナットでレンズに固定されているとともに、ネジの端部にはキャップ１０が被覆している。
【００１２】
この実施例においては前記ブリッジ５は上面が平坦面に形成されている。
一方、上記のように形成されたフレーム部２の前側に取り付けられるサングラス部３は一対のサングラス用レンズ１４、１４の内側部同士がブリッジ１５で固定されている。
【００１３】
そして、このサングラス部３のブリッジ１５は樹脂で形成されているとともに、図３に示すように溝１６が形成されて断面が下向きコ字状に形成され、このコ字状の溝１６内に前記フレーム部２のブリッジ５が位置してフレーム部２のブリッジ５にサングラス部３のブリッジ１５が跨がった状態、すなわち、フレーム部２のブリッジ５がサングラス部３のブリッジ１５の溝１６内に嵌め込まれた状態に保持される。
このフレーム部２のブリッジ５にサングラス部３のブリッジ１５が跨がった状態は図３に示す断面状態となるものである。
【００１４】
さらに、前記サングラス部３のブリッジ１５の溝１６の底面に該当する部位には磁石１７が配設されている。
【００１５】
前記磁石１７はブリッジ１５の溝１６の底面よりも幅狭であるとともに、溝１６の内面と磁石の側面との間には樹脂１８が充填されて磁石１７が移動しないように固定されている。
この場合、磁石１７の個数は溝１６の幅内に一つであっても、あるいは複数個であっても良いものであり、さらに、溝１６の内面と磁石１７の側面との間に樹脂１８が充填されて埋設されている場合だけではなく、磁石１７の上面に他の樹脂で被覆されていても良いものである。
【産業上の利用可能性】
【００１６】
フレーム部のブリッジにサングラス部のブリッジを着脱自在とすることができ、すなわち、通常のレンズを使用しているフレーム部に必要に応じてサングラス部を取り付けることができて、眩しさを解消することができ、矯正レンズを使用している使用者の要求に応じてサングラスとすることができる。
【図面の簡単な説明】
【００１７】
【図１】フレーム部とサングラス部とを一体にした状態を示す概略平面図である。
【図２】フレーム部とサングラス部とを分離した状態を示す概略斜視図である。
【図３】図１のＡ−Ａ線に沿って見た概略断面図である。
【符号の説明】
【００１８】
１  メガネ
２  フレーム部
３  サングラス部
４  レンズ
５、１５  ブリッジ
６  鎧
７  テンプル
８  ノーズパッド
９  脚
１０  キャップ
１４  サングラス用レンズ
１６  溝
１７  磁石
１８  樹脂
【図１】
2005292553.tif 000003
【図２】
2005292553.tif 000004
【図３】
2005292553.tif 000005